(57)【要約】【課題】人間の手では釣り針に係着しにくい釣り餌を、簡易な器具で安全かつ容易に係着可能なものとする。また、複数本の釣り針を設けた仕掛けを、釣り針や釣り糸を絡ませることなく、手早く水中に投入可能なものとする。【解決手段】釣り餌３の挿入間隔４を介して、基盤１の上面に、分離壁２を複数個立設する。【選択図】図１
2005198570.tif 000002
【特許請求の範囲】
【請求項１】
釣り餌の挿入間隔を介して、基盤の上面に、分離壁を複数個立設したことを特徴とする釣り餌保持具。
【請求項２】
釣り餌の挿入間隔は、少なくとも一方面を開口し、他方面を閉止部材で閉止したことを特徴とする、請求項１の釣り餌保持具。
【請求項３】
閉止部材は、挿入間隔に挿入した釣り餌の上端よりも先端を下方に配置したことを特徴とする、請求項２の釣り餌保持具。
【請求項４】
釣り餌は、ゲル化した配合餌であることを特徴とする、請求項１、２または３の釣り餌保持具。
【請求項５】
釣り餌は、配合餌を練ったゲル化しない練り餌であることを特徴とする、請求項１、２または３の釣り餌保持具。
【発明の詳細な説明】
【技術分野】
【０００１】
本発明は、釣り餌を釣り針に係着するための、釣り餌保持具に関するものである。
【背景技術】
【０００２】
従来より、釣り針への釣り餌の係着は一般的に釣り人が手作業で行うため、魚の切り身やさなぎ等、釣り人の手指で扱いやすい大きさの天然の釣り餌を用いる場合は、比較的容易に釣り針に係着することができる。一方、配合餌にゲル化剤を混合して形成する疑似餌が近年多用されているが、この疑似餌はゲル化しているため柔らかく、また、ベト付き易いことから、針に係着させる場合に手間を要するとともに、針先を釣り人の手指に突き刺してしまうことも少なくないため、危険を伴うものであった。また、配合餌にゲル化剤を混合しない練り餌も多用されているが、この場合も餌が柔らかくベト付き易いため、釣り針に係着するのに手間を要するものであった。
【０００３】
また、対象とする魚の種類や釣りの状況に応じて、胴付仕掛けの如く、一つの仕掛けに複数本の釣り針を一定間隔で設ける場合がある。このように一つの仕掛けに複数本の釣り針を一定間隔で設けると、釣り餌の係着時、又は仕掛けの水中への投入時に釣り針や釣り糸が互いに絡まり易くなり、扱いが困難となる場合が多かった。
【０００４】
そこで、このような釣り餌の釣り針への係着の困難さや、仕掛けの扱いにくさを回避するために、特許文献１に示す如く、釣り餌を釣り針に係着するための餌付け用補助具が以前より開発されている。この特許文献１に示す餌付け用補助具は、小型の釣り針に小さな釣り餌を容易に係着可能とすることを目的とするものであって、釣り餌を挟持するためのペンチ型の挟持具と、釣り針を固定するためのクリップとから成るものである。
【特許文献１】特開平１０−１７８９７１号公報
【発明の開示】
【発明が解決しようとする課題】
【０００５】
しかしながら、特許文献１に記載の餌付け用補助具は、釣り餌の係着の際に、挟持具と保持具の両方を必ず必要とするため、どちらか一方が欠けている場合は、小さな釣り餌を釣り針に係着することが困難であった。そのため、常に両方の道具を揃えておかなければならないという手間が生じるとともに、高価なものとなり、釣り人にとっては手軽に釣りを楽しむことができなかった。また、仕掛けに複数本の釣り針を設けている場合、これらの釣り針を全て同じ向きにして保持具に固定しなければならず、ハリスの絡み等を考慮すると、釣り人にとって手間のかかる作業であった。また、配合餌をゲル化した疑似餌をハリ付けする場合は、挟持具に柔らかい疑似餌がベタ付いたりするため、使用には適さないものであった。
【０００６】
本発明は、上述の如き課題を解決しようとするものであって、釣り人の手では釣り針に係着しにくい小さな釣り餌や、柔らかくベタ付き易い疑似餌を使用する場合であっても、簡易な器具で、安全かつ容易に釣り針に係着可能にしようとするものである。また、複数本の釣り針を接続した仕掛けを用いる場合にも、全ての釣り針に容易に釣り餌を係着可能なものとするとともに、釣り餌を釣り針に係着した後も、仕掛けに設けた釣り針や釣り糸を絡ませることなく、仕掛けを水中に手早く投入することができるようにしようとするものである。
【課題を解決するための手段】
【０００７】
本発明は、上述の如き課題を解決するため、釣り餌の挿入間隔を介して、基盤の上面に、分離壁を複数個立設して成るものである。
【０００８】
また、釣り餌の挿入間隔は、少なくとも一方面を開口し、他方面を閉止部材で閉止したものであってもよい。
【０００９】
また、閉止部材は、挿入間隔に挿入した釣り餌の上端よりも先端を下方に配置したものであってもよい。
【００１０】
また、釣り餌は、ゲル化した配合餌であってもよい。
【００１１】
また、釣り餌は、配合餌を練ったゲル化しない練り餌であってもよい。
【発明の効果】
【００１２】
本発明は、釣り人の手では釣り針に係着しにくい配合餌をゲル化した疑似餌や、ゲル化せずに配合餌を練った練り餌を使用する場合であっても、簡易な器具で安全かつ容易に釣り針に釣り餌を係着可能なものとしている。また、複数本の釣り針を接続した仕掛けを用いる場合にも、全ての釣り針に容易に釣り餌を係着可能なものとするとともに、釣り餌を釣り針に係着した後も、釣り糸や釣り針を絡ませることなく、仕掛けを水中に手早く投入可能としたものである。
【発明を実施するための最良の形態】
【００１３】
本発明を実施するための最良の形態を以下に示す。本発明の釣り餌保持具は、基盤の上面に、釣り餌を挿入するための挿入間隔を介して、分離壁を複数個、軸方向とは垂直に立設している。そして、この挿入間隔内に釣り餌を挿入して配置することにより、釣り人は釣り餌に直に接触する必要がなく、基盤又は分離壁を保持して挿入間隔内の釣り餌を釣り針に係着することができる。そのため、柔らかく、ベタ付き易い疑似餌を釣り餌として使用しても、釣り餌への係着を容易に行うことが可能となる。また、複数本の釣り針に釣り餌を係着する場合に、釣り餌に係着した釣り針は、位置を移動することなく挿入間隔内の釣り餌に固定されるため、他の釣り針や釣り糸と絡むことがない。
【００１４】
また、上記挿入間隔は、両側面と上端の三方に開口を設けているが、少なくとも一方面を開口し、他方面を閉止部材で閉止すれば、挿入間隔内に釣り餌を挿入し、この釣り餌に、釣り針を閉止部材側とは反対側から突き刺した場合に、釣り餌が釣り針を突き刺した方向にずれたり落下したりすることなく挿入間隔内に確実に止まるため、釣り餌を釣り針に容易に係着することが可能となる。
【００１５】
また、本発明の釣り餌保持具の原料として、例えば、ポリエチレン、ポリプロピレン、セロファン、塩化ビニル、ポリ塩化ビニリデン、ポリビニルアルコール、ポリスチレン、ポリエステル、ナイロン等のプラスチックを使用することが可能である。また、上記プラスチックの他に、ポリ乳酸、脂肪族ポリエステル等の生分解性プラスチックを使用することも可能であり、このような生分解性プラスチックを使用することにより、誤って釣り餌保持具を海中等の自然界に放置してしまった場合でも、最終的には自然界に残存することなく完全に分解されることから、環境への悪影響を低減することが可能となる。
【実施例１】
【００１６】
本発明の第１実施例を図１に於いて説明すれば、本実施例の釣り餌保持具は、直方体、平板等の基盤（１）の上面に、分離壁（２）を、釣り餌（３）の挿入間隔（４）を介して垂直に複数個立設することにより、保持具本体（６）を形成している。また、この保持具本体（６）の一側面には、図１に示す如く、平板状の閉止部材（５）を配置している。そのため挿入間隔（４）は、一方面を開口し、他方面をこの閉止部材（５）により閉止している。また、閉止部材（５）は、先端部（７）が分離壁（２）の上端面（８）よりも下方に位置するよう配置されている。
【００１７】
上記の如く形成したものに於いて、挿入間隔（４）内に釣り餌（３）を挿入する手順を以下に示す。まず、グルコマンナン３．０ｗｔ％、キサンタンガム３．０ｗｔ％、水６０ｗｔ％を攪拌・加熱溶解し、これにオキアミエキス３０ｗｔ％、魚粉４．０ｗｔ％を添加し、加熱・混合する。そして、本実施例の釣り餌保持具の挿入間隔（４）内に、閉止部材（５）を設けた側とは反対側から混合物を充填する。
【００１８】
また充填の際には、挿入間隔（４）内に混合物をヘラや手等で充填しても良いが、挿入間隔（４）の上面を閉止できる型枠内に釣り餌保持具を配置して、閉止部材（５）を設けた側とは反対側から挿入間隔（４）内に混合物を充填することにより、無駄のない均一な充填が可能となる。そして、型枠を用いた場合も他の方法による場合も、挿入間隔（４）内に釣り餌（３）用の混合物を充填した後、これを凍結することによりゲル化させる。以上により、釣り餌保持具の挿入間隔（４）内に釣り餌（３）を挿入した状態となる。
【００１９】
尚、本実施例では上記の如く、挿入間隔（４）内で混合物をゲル化させることにより挿入間隔（４）内に釣り餌（３）を挿入しているが、他の異なる実施例では、ゲル化した釣り餌（３）を挿入間隔（４）内に挿入可能な大きさに裁断し、この裁断した釣り餌（３）を分離壁（２）の間に１つ１つ挟み込むようにして挿入間隔（４）内に挿入することも可能である。
【００２０】
そして、このように釣り餌（３）を挿入間隔（４）内に挿入した状態で、各釣り餌（３）毎に、釣り針（１０）の針先を釣り餌（３）の閉止部材（５）側とは反対側の上端付近から突き刺して、閉止部材（５）側に貫通させることにより、釣り餌（３）を釣り針（１０）に容易に係着することができる。また、釣り餌（３）に一部の釣り針（１０）を貫通させた状態では、釣り餌（３）を挿入間隔（４）から抜き出すことは行わず、各釣り針（１０）を釣り餌保持具に順次固定していく。
【００２１】
このようにして釣り針（１０）を挿入間隔（４）内の釣り餌（３）に順次突き刺すことにより、釣り針（１０）の位置が固定されるため、係着時に釣り針（１０）や釣り糸（１１）を絡ませることなく釣り餌（３）を容易に係着することができる。また、全ての釣り針（１０）に釣り餌（３）を係着した後、図１に示す如く、釣り糸（１１）を上方に引っ張って、挿入間隔（４）内の釣り餌（３）を釣り餌保持具から引き抜くことにより、釣り針（１０）及び釣り糸（１１）を絡ませることなく、仕掛け（１２）を手早く水中に投入することができる。
【００２２】
また、本実施例ではゲル化剤としてグルコマンナンを用いた釣り餌（３）を使用しているが、これに限らず、他の生分解樹脂を用いた疑似餌や、ポリビニルアルコール、ジェランガム、アルギン酸、寒天、ゼラチン、乳清タンパク質加工品、コラーゲン素材等のゲル化剤を用いた疑似餌などを釣り餌（３）として使用することも可能である。
【実施例２】
【００２３】
また、上記の第１実施例では、挿入間隔（４）の一方の面に閉止部材（５）を固定することにより、挿入間隔（４）に於ける釣り餌（３）の安定した配置や、釣り針（１０）を係着する際に、釣り餌（３）が挿入間隔（４）内から離脱したりすることなく、安定的に釣り針（１０）の係着を行うことを可能としたものである。しかし、釣り餌（３）のゲル化度が強く形状安定性が良い場合には、必ずしも閉止部材（５）を設けていなくても、釣り針（１０）の係着に支障をきたすことはない。
【００２４】
そこで、本発明の第２実施例の釣り餌保持具は、第１実施例と異なり、図２に示す如く閉止部材（５）を設けないものとしている。このように閉止部材（５）を設けないことにより、製造を容易なものとすることができるとともに、廉価な製品を得ることが可能となる。
【実施例３】
【００２５】
また、第１及び第２実施例では、釣り餌（３）として配合餌をゲル化した疑似餌を使用しているが、本発明の第３実施例では、図１又は図２と同様の釣り餌保持具に、配合餌をゲル化せずに練った練り餌を釣り餌（３）として使用している。そして、この釣り餌（３）の粘度を調製することにより、釣り餌（３）を挿入間隔（４）内に挿入配置した際に、釣り餌（３）が挿入間隔（４）内から脱落することを防止し、釣り餌保持具に安定して保持することを可能としている。また、上記の如く釣り餌（３）を挿入間隔（４）内に挿入した状態で、各釣り餌（３）毎に釣り針（１０）の針先を突き刺して係着し、その後、各釣り餌（３）を手で挿入間隔（４）内から抜き出すことにより、釣り餌（３）を釣り針（１０）から脱落させることなく、釣り針（１０）及び釣り糸（１１）を絡ませずに仕掛け（１２）を手早く水中に投入することが可能となる。
【００２６】
また、本発明の第１〜第３実施例では、図１及び図２に示す如く、挿入間隔（４）の平面形状をコ字形とするとともに、保持具本体（６）の端面形状を長方形状としているが、これらの形状は特に限定されるものではない。例えば、他の異なる実施例では、挿入間隔（４）の平面形状を、図３に示す如くＶ字形としたり、図４に示す如く円弧状としたりすることも可能であり、また、保持具本体（６）の端面形状を、図３に示す如く逆三角形状としたり、図４に示す如く下端を円弧状とした形状としたりすることも可能である。
【００２７】
また、図３の保持具本体（６）は、挿入間隔（４）の平面形状をＶ字型とするとともに、保持具本体（６）の端面形状を逆三角形状としているが、更に異なる実施例として、挿入間隔（４）の平面形状をＶ字型とするとともに、保持具本体（６）の端面形状を長方形状又は下端を円弧状とした形状とすることも可能である。また、図４の保持具本体（６）は、挿入間隔（４）の平面形状を円弧状とするとともに、保持具本体（６）の端面形状を下端を円弧状とした形状としているが、更に異なる実施例として、挿入間隔（４）の平面形状を円弧状とするとともに、保持具本体（６）の端面形状を長方形状又は逆三角形状とすることも可能である。
【図面の簡単な説明】
【００２８】
【図１】本発明の実施例１を示す釣り餌保持具の斜視図。
【図２】本発明の実施例２を示す釣り餌保持具の斜視図。
【図３】本発明の他の異なる実施例を示す釣り保持具本体の斜視図。
【図４】本発明の他の異なる実施例を示す釣り保持具本体の斜視図。
【符号の説明】
【００２９】
１  基盤
２  分離壁
３  釣り餌
４  挿入間隔
５  閉止部材
【図１】
2005198570.tif 000003
【図２】
2005198570.tif 000004
【図３】
2005198570.tif 000005
【図４】
2005198570.tif 000006